(57)【要約】２つの互いに平行な外観表面（２）と、これら外観表面部２、２は、これら外観表面部（２）に対して略垂直に延在されて、これら外観表面部（２）を連結する側壁部（３）とからなるガラス煉瓦であって、前記側壁部（３）は、前記外観表面部（２）の周縁端面から内側に後退して配置されており、前記外観表面部（２）の周縁端面から前記側壁部（３）までの平均距離４が、少なくとも６ｍｍに、好適には６−２０ｍｍの範囲に設定されている。
2005500447.tif 000002
【特許請求の範囲】
【請求項１】
２つの互いに平行な外観表面（２）と、これら外観表面部２、２は、これら外観表面部（２）に対して略垂直に延在されて、これら外観表面部（２）を連結する側壁部（３）とからなるガラス煉瓦であって、
前記側壁部（３）は、前記外観表面部（２）の周縁端面から内側に後退して配置されており、前記外観表面部（２）の周縁端面から前記側壁部（３）までの平均距離４が、少なくとも６ｍｍに設定されていることを特徴とするガラス煉瓦。
【請求項２】
前記平均距離が、６ｍｍ以上２０ｍｍ以下であることを特徴とする請求項１記載のガラス煉瓦。
【請求項３】
前記平均的距離（４）が、隣接する煉瓦の間にあるセメント結合線、あるいは乾燥配置構造の可視部分を、２ｍｍ以下に減少するために、モルタルあるいは乾式組付け具を収納できるハウジング（５）の領域を限定することを特徴とする請求項１記載のガラス煉瓦。
【請求項４】
請求項１−３のいずれか１に記載の複数のガラス煉瓦からなることを特徴とするの壁と床。
【発明の詳細な説明】
【技術分野】
【０００１】
この発明は、ガラス煉瓦に関するものである。
【背景技術】
【０００２】
建築業界では、構造強度も外的美観も犠牲にすることなく、屋外の光を採り入れたいとき、あるいは、屋内の明かりを外に洩らしたいとき、ガラス煉瓦が用いられる。
ガラス煉瓦は、良く知られているように、一般に正方形又は長方形の形状に形成され、表側・裏側の外観を構成する、互いに平行な一対の外観表面部（主表面）を有して構成され、完成された壁の垂直面を構成する。
上記一対の外観表面部は、これらの周縁端部に沿って、垂直に配されたガラス側面部によって、互いに接続されている。このガラス側面部によって、煉瓦の厚み、すなわち、上方の荷重を支える面や下方に固着される面の厚みが決定されるようになっている。
完成した煉瓦構築物は、長方形の基底部と、正方形又は長方形の垂直面を持つ正平行六面体である。
この種の煉瓦は、一方の垂直面と半分の荷重面とからなる、内部空洞型のハーフ煉瓦を、２個、加熱して接合し、内部空洞を密封して得られる。
一対のハーフ煉瓦に対する上記熱接合（内部空洞密封）処理は、煉瓦が完成した場合、煉瓦の厚みの中心線となるべき線上で、かつ、煉瓦の外観表面部に平行な軸線に沿って、実行される。
【発明の開示】
【発明が解決しようとする課題】
【０００３】
ところで、上記従来の煉瓦では、組み付けて積み重ね工事の際、いくつかの制約があり、完成した煉瓦構築物の美観を損なう、という不都合があった。
以下に強調して述べられるように、煉瓦を組み付けて積み重ねる上での制約は、美的外観を左右すると共に、結合剤としてモルタルを使う伝統的な積み重ね方法や、現場で組立てられ、あるいは、予め工場で組立てられ、現場に搬入される乾式組付けシステムと関係がある。
【０００４】
ガラス煉瓦が組み込まれた垂直（壁）構築物又は水平（床）構築物は、煉瓦と隣の煉瓦との間に、構造的結合材として、モルタルを介挿して形成される。かくして、煉瓦と煉瓦との間の隙間に介挿されるモルタルの、外部から見える厚みを、強度安全限界以下の厚みである通常１０−２０ｍｍ以下にすることはできない。外部から見えるモルタルの厚さを薄くすると、煉瓦の厚み方向に介挿されたモルタルの耐力低下を決定付けるからである。
しかしながら、モルタルの外部から見える厚みが増すと、ガラス表面の連続性効果は減少する。
【０００５】
さらなる不都合は、煉瓦と煉瓦との間の間隙領域が、高い熱伝導性を持つモルタルで占められていて、モルタルを介して、熱気や冷気が容易に逃げてしまう、あるいは、容易く入り込んでくる。これに対して、ガラス煉瓦は、熱絶縁特性を持っている。この結果、モルタルが充填された間隙領域が広がると、ガラス煉瓦からなる壁あるいは床の構築物の熱絶縁をより悪化させる。
【０００６】
一方、乾式組付けシステムを用いる構築では、ガラス煉瓦の外観表面部同士を重ね合わせることが必要となり、この結果、ガラスの透明性や美観を損なうという、欠点がある。
【課題を解決するための手段】
【０００７】
この発明は、明らかなモルタル連結線が無くとも、あるいは、煉瓦の厚み内に含まれる乾式組付け具を用いなくとも、適正かつ安定した積み重ねを可能ととするガラス煉瓦を提供することを目的としている。
さらに、この発明は、ガラス煉瓦が組み込まれた壁や床の断熱性の改善を図ることを第２の目的としている。
この発明は、上記課題を解決するためになされたもので、外観表面部の周縁端面（エッジ）から、平均距離として、少なくとも６ｍｍ、好適には、６−２０ｍｍ。側壁部が内側に後退した構成になされていることを特徴としている。
【図面の簡単な説明】
【０００８】
【図１】この発明によるガラス煉瓦の正面図である。
【図２】部分的に切断した図１の煉瓦の側面図である。
【発明を実施するための最良の形態】
【０００９】
以下、図面を参照して、この発明の実施の形態について説明する。
図１及び図２において、符号１は、構造部材としても装飾部材としても、建築業界で、広く用いられているガラス煉瓦を示し、このガラス煉瓦１は、図２に示すように、一対のハーフ煉瓦１ａ、１ｂを、相互に貼り合わせて、一体接合して形成されている。
前記ガラス煉瓦は、互いに表面部・裏面部の関係となって、相対向して配置される一対の平行な外観表面部２、２からなり、これら外観表面部２、２は、これら外観表面部２、２に対して略垂直に延在される側壁部３によって、相互に連結されている。
【００１０】
ここで、外観表面部２、２の形状としては、四角形であることが望ましい。また、側壁部３は、外観表面部２、２の周縁端面（エッジ）から内側に後退して配置されており、この側壁部３が、内側に後退した平均距離、すなわち、外観表面部２、２の周縁端面（エッジ）から側壁部３までの平均距離４（図２参照）が、少なくとも６ｍｍ、好適には、６−２０ｍｍに設定されている。
【００１１】
上記構成によれば、互いに隣り合うガラス煉瓦とガラス煉瓦との間にあるセメントの内面（接合面）を変化することなく、外壁上の隣り合う煉瓦と煉瓦との間のセメント接合線を２ｍｍ以下に減少できる。
ガラス煉瓦の外側エッジに沿って、２つの外観表面部２の間に、従来の煉瓦よりも深いハウジング５が形成される。互いに隣接するガラス煉瓦を結合するセメントは、ガラス煉瓦同士を適正にかつ安定した状態で積み重ねるに充分な量、外観表面部２と側壁部３とで画成される、前記ハウジング５に、挿入される。
【００１２】
また、外観表面部２と側壁部３とで画成されるハウジングが、審美効果と安定性を増しながら、ガラス煉瓦の可視表面を維持するように、乾式組付け具の収容をできる。
したがって、煉瓦と隣の煉瓦とが、モルタルあるいは乾式組付け具を用いて組付けされていても、外観上、互いに直接接触して連続性的であるように見え、一方、どんな場合も、構造の安定性が確保されている。
【図１】
2005500447.tif 000003
【図２】
2005500447.tif 000004
【国際公開パンフレット】
2005500447.tif 000005
2005500447.tif 000006
2005500447.tif 000007
2005500447.tif 000008
2005500447.tif 000009
2005500447.tif 000010
2005500447.tif 000011
2005500447.tif 000012
【国際調査報告】
2005500447.tif 000013
2005500447.tif 000014